(57)【特許請求の範囲】
【請求項１】
複数個のボタン（１１）が設けられたベース部（１０）と、前記ベース部（１０）の上端に設けられる本体部（２０）と、前記本体部（２０）の上端に設けられるモータ部（３０）と、前記モータ部（３０）の前面のモータ軸に結合される回転羽根（４０）と、前記回転羽根（４０）を取り囲むように設けられる保護網（５０）と、を備えた扇風機において、
液化酸素（ＬＯＸ）充填容器（６２）が着脱可能に装着される装着部（６０）と、前記装着部（６０）に装着された充填容器（６２）から吐出される酸素ガスの出力量を調節する開閉調節装置（６３）と、前記開閉調節装置（６３）に連結され、吐出された酸素ガスが前記回転羽根（４０）から前方に発散されるように設けられる吐出管（６４）と、を有し、
前記保護網（５０）は、パイプ状からなり、複数の横網（５１）及び周縁網（５２）の前方には、複数個の吐出孔（５３）が形成されたことを特徴とする冷風機能を有する扇風機。
【請求項２】
前記液化酸素（ＬＯＸ）充填容器（６２）は、酸素を零下１８３℃以下の温度で冷却圧縮し、液体状態の酸素を所定の容器に充填してなることを特徴とする請求項１に記載の冷風機能を有する扇風機。
【請求項３】
前記装着部（６０）は、前記本体部（２０）の内側に設けられることを特徴とする請求項１に記載の冷風機能を有する扇風機。
【請求項４】
前記開閉調節装置（６３）を制御し、酸素ガスの出力量を制御する出力調節部（１２０）と、複数個の風量選択ボタンと、冷風選択ボタンと、設定ボタンとを有するスイッチ部（１３０）と、モータ（１５０）を回転駆動するモータ駆動部（１４０）と、前記スイッチ部（１３０）のキー入力によって冷風機能をセットし、冷風機能の選択時、入力される風量選択により、モータ駆動部（１４０）に当該風力によるモータ駆動信号を出力するとともに、出力調節部（１２０）に当該風量に該当する酸素ガスが供給されるように制御信号を出力する制御部（１１０）と、を有することを特徴とする請求項１に記載の冷風機能を有する扇風機。
【発明の詳細な説明】
【技術分野】
【０００１】
本発明は、扇風機に関し、より詳しくは、液化酸素（ＬＯＸ）の供給により、強力な冷風機能を有するとともに、高純度酸素の供給により、空気清浄効果及び人体の新陳代謝を増大させ、環境に優しい冷風機能を有する扇風機に関する。
【背景技術】
【０００２】
従来、冷風機能を有する扇風機が提案されている。
【０００３】
先ず、特許文献１には、扇風機の内部に別途の空間を設け、その空間に設けられた熱導体を加熱し、これに水を噴射し、水を蒸発させることにより発生する蒸発潜熱により、周囲の温度が低くなると、その冷気を外部に排出し、さらに涼しい風を送り出すという技術が開示されている。
【０００４】
また、特許文献２には、扇風機の羽根の前方にアイスパックが入った網体を設けることにより、夏季の暑い風が、アイスパックを通過しながら冷却されて、冷風を吹かせ、また、梅雨期のように湿度が高いとき、水分が含まれた風がアイスパックを通過しながら結露され、除湿されるようにした技術が開示されている。
【０００５】
しかしながら、これらの技術における最も大きな問題点は、冷風効果が不十分であるということであった。
【０００６】
しかも、構造が複雑であり、冷風のために、加熱動作または別途の冷源装置（アイスパック）を生成（冷凍）しなければならないという問題があった。
【先行技術文献】
【特許文献】
【０００７】
【特許文献１】韓国登録実用新案第０３２２９２２号公報（冷風扇風機）
【特許文献２】韓国登録実用新案第０１１４８３２号公報（扇風機の除湿及び冷風装置）
【発明の概要】
【発明が解決しようとする課題】
【０００８】
本発明は、上記問題点に鑑みなされたものであり、その目的は、液化酸素（ＬＯＸ）の供給により、強力な冷風機能を有するとともに、高純度酸素の供給により、空気清浄効果及び人体の新陳代謝を増大させ、環境に優しい冷風機能を有する扇風機を提供することにある。
【課題を解決するための手段】
【０００９】
上述した目的を達成するために、本発明は、多数個のボタンが設けられたベース部と、前記ベース部の上端に設けられる本体部と、前記本体部の上端に設けられるモータ部と、前記モータ部の前面のモータ軸に結合される回転羽根と、前記回転羽根を取り囲むように設けられる保護網と、を備えた扇風機において、液化酸素充填容器が着脱可能に装着される装着部と、前記装着部に装着された充填容器から吐出される酸素ガスの出力量を調節する開閉調節装置と、前記開閉調節装置に連結され、吐出された酸素ガスが前記回転羽根から前方に発散されるように設けられる吐出管と、を有することを特徴とする。
【００１０】
また、前記液化酸素充填容器６２は、酸素を零下１８３℃以下の温度で冷却圧縮し、液体状態の酸素を所定の容器に充填してなることを特徴とする。
【００１１】
また、前記装着部は、本体部の内側に設けられることを特徴とする。
【００１２】
また、前記保護網は、パイプ状からなり、多数の横網及び周縁網の前方には、多数個の吐出孔が形成されたことを特徴とする。
【００１３】
また、前記開閉調節装置を制御し、酸素ガスの出力量を制御する出力調節部と、少なくとも多数個の風量選択ボタンと、冷風選択ボタンと、設定ボタンとを有するキー入力部と、モータを回転駆動するモータ駆動部と、前記スイッチ部のキー入力によって冷風機能をセットし、冷風機能の選択時、入力される風量選択により、モータ駆動部に当該風力によるモータ駆動信号を出力するとともに、出力調節部に当該風量に該当する酸素ガスが供給されるように制御信号を出力する制御部と、を有することを特徴とする。
【発明の効果】
【００１４】
本発明によれば、新規な形態の液化酸素（ＬＯＸ）充填容器により、液化酸素を供給することにより、極めて強力な冷風機能を行うことができる。
【００１５】
また、扇風機の風向発生時、液化酸素の供給により、酸素供給が可能であり、空気清浄効果はもとより、人体に良い影響を及ぼすことができる。
【図面の簡単な説明】
【００１６】
【図１】本発明の一実施例による冷風機能を有する扇風機を示す構成図である。
【図２】本発明による冷風機能を有する扇風機の制御ブロック図である。
【図３】本発明の一実施例による保護網を示す構成図である。
【発明を実施するための形態】
【００１７】
以下、添付した図面を参照して、本発明による好適な実施例について詳述する。
【００１８】
図１は、本発明の一実施例による冷風機能を有する扇風機を示す構成図である。
【００１９】
図示のように、本発明による冷風機能を有する扇風機は、多数個のボタン１１が設けられたベース部１０と、前記ベース部１０の上端に設けられる本体部２０と、前記本体部２０の上端に伸長可能に設けられる伸長部２１と、前記伸長部２１の上端に設けられるモータ部３０と、前記モータ部３０の前面のモータ軸に結合される回転羽根４０と、前記回転羽根４０を取り囲むように設けられる保護網５０と、を備えた扇風機において、液化酸素（ＬＯＸ）充填容器６２（以下、「充填容器」ともいう。）が着脱可能に装着される装着部６０と、前記装着部６０に装着された充填容器６２から吐出される酸素ガスの出力量を調節する開閉調節装置６３と、前記開閉調節装置６３に連結され、吐出された酸素ガスが前記回転羽根４０から前方に発散されるように設けられる吐出管６４と、を有する。
【００２０】
本発明によると、新規な形態の液化酸素（ＬＯＸ）充填容器６２が提供される。
【００２１】
前記液化酸素（ＬＯＸ：液体酸素）は、酸素を零下１８３℃以下の温度で圧縮した淡青色の酸素であって、これを市中のブタンガス容器のような形態で充填して作製したものが、充填容器６２である。
【００２２】
したがって、前記充填容器６２は、吐出口を有し、充填された液化酸素を外部に吐き出すとき、極めて低い温度（−１８３℃）の酸素ガスが放出されながら、極めて強力な冷風作用を行うことになる。
【００２３】
また、本発明によると、前記充填容器６２が着脱可能に装着される装着部６０は、本体部２０の内側に設けられることが好ましいが、これに限定されるものではない。
【００２４】
前記装着部６０は、本体部２０の外周面、または扇風機の他の部位に設けられ、または独立的に設けられてもよい。
【００２５】
前記装着部６０には、開閉可能な蓋６１がさらに設けられてもよい。
【００２６】
前記開閉調節装置６３は、前記充填容器６２の吐出口側に装着されるように設けられ、電気的信号により、吐き出される酸素ガスの供給量を調節可能な物理的可変弁を含む。
【００２７】
前記吐出管６４は、本体部２０の内部から延長され、回転羽根４０の後方に吐出端が位置するように構成されるが、このような構成に限定されるものではない。
【００２８】
また、本発明の他の実施例によると、図３に示すように、保護網５０をパイプ状に作製し、多数の横網５１と周縁網５２に、前方に向かって多数個の吐出孔５３を形成してもよい。
【００２９】
その後、前記液体酸素ガスの吐出管６４の吐出口を、前記パイプ状の保護網５０の一側に連結することにより、前記保護網５０に形成された吐出孔５３から、ガスが前方に均一に吐き出されて広がるように構成してもよい。
【００３０】
図２は、本発明による冷風機能を有する扇風機の制御ブロック図である。
【００３１】
図示のように、本発明による冷風機能を有する扇風機の制御回路は、制御部１１０、出力調節部１２０、スイッチ部１３０、モータ駆動部１４０、モータ１５０を有する。
【００３２】
前記出力調節部１２０は、前記制御部１１０の制御により、開閉調節装置６３を制御し、酸素ガスの出力量を制御する。
【００３３】
前記スイッチ部１３０は、多数個のボタン１１から構成され、前記ボタン１１は、少なくとも多数個の風量選択ボタンと、冷風選択ボタンと、設定ボタンとを有し、前記冷風選択ボタンは、冷風機能を選択するスイッチである。
【００３４】
前記冷風機能が選択されると、前記風量選択ボタンの選択により酸素供給量が可変される。
【００３５】
例えば、風量が、強、中、弱である場合、選択された風量に対応して酸素供給量も強、中、弱に変化する。
【００３６】
この理由は、風量に応じて、供給される酸素量が比例して可変されなければ、冷風効果を極大化することができないからである。
【００３７】
前記モータ駆動部１４０は、前記制御部１１０の制御により、モータ１５０を回転駆動する。
【００３８】
前記制御部１１０は、前記スイッチ部１３０のキー入力により、冷風機能をセットし、冷風機能の選択時、入力される風量選択により、モータ駆動部１４０に当該風力によるモータ駆動信号を出力するとともに、出力調節部１２０に当該風量に該当する酸素ガスが供給されるように制御信号を出力する。
【００３９】
また、本発明によると、モータ１５０の駆動を停止し、すなわち、回転羽根４０の駆動無しで、前記スイッチ部１３０のボタンを用いて、該当する出力の酸素のみが供給されるようにしてもよい。
【００４０】
このように構成された本発明による冷風機能を有する扇風機の全体の動作について説明する。
【００４１】
先ず、液化ガス充填容器６２を本体部２０の装着部６０に挿入装着する。
【００４２】
このとき、充填容器６２の吐出口は、開閉調節装置６３に結合された状態を維持している。また、蓋６１を閉める。
【００４３】
その後、扇風機に電源を供給してから、スイッチ部１３０の冷風選択ボタンを押す。
【００４４】
このように前記冷風選択ボタンが押されると、制御部１１０は、スイッチ部１３０から入力されるキー信号により、冷房モード運転をセットする。
【００４５】
このとき、スイッチ部１３０を通じて、例えば、風量選択ボタンの「中」が選択されると、前記制御部１１０は、モータ駆動部１４０にモータの中出力に該当する命令を出力する。
【００４６】
したがって、前記モータ駆動部１４０は、モータ１５０を中出力に回転駆動し、回転羽根４０が中速度で回転駆動する。
【００４７】
それと同時に、前記制御部１１０は、出力調節部１２０に、酸素ガスの供給が中出力に該当する開放命令を出力し、前記出力調節部１２０は、開閉調節装置６３を制御して、ガス出力が中出力となるように開閉量を調節する。
【００４８】
したがって、充填容器６２に充填された液化酸素は、開閉調節装置６３から吐出管６４に噴射され、前記吐出管６４から外部に吐き出された酸素ガスは、回転する回転羽根４０の後方から風向に沿って前方に吐き出される。
【００４９】
前記液化酸素ガスの温度は、極めて低い、冷たい風であるので、扇風機から吹いてくる風は、急冷されて冷風となり、使用者は、冷却効果を充分に楽しむとともに、酸素を呼吸することにより、最適かつ最高の環境で冷却効果を得るようになる。
【図１】
0006601741.tif 000002
【図２】
0006601741.tif 000003
【図３】
0006601741.tif 000004